(57)【特許請求の範囲】
【請求項１】
複数のブラシ毛を有するブラシ部材と、前記ブラシ部材が設けられる基台と、を備える清掃用具であって、
前記基台は、前記清掃用具を使用する作業者から見て当該基台の左右両端部からそれぞれ前方に延び且つ前記ブラシ部材のブラシ毛が下方に延びるように設けられる基台延長部を備え、
前記基台における前記ブラシ部材の一部又は全部は、当該基台に対して着脱自在に設けられ、当該基台から当該ブラシ部材が取り外された際に、当該基台の下方を前後方向に連通する凹部が形成されるようにしたことを特徴とする清掃用具。
【請求項２】
前記基台に着脱自在に設けられ、袋体の開口部が前記凹部と連通するように当該袋体を保持する袋体保持部材を備えることを特徴とする請求項１に記載の清掃用具。
【請求項３】
前記基台は、清掃面に当接する車輪を備えることを特徴とする請求項１又は２に記載の清掃用具。
【請求項４】
前記複数のブラシ毛の前面側と後面側の少なくとも一方の面を他方の面側に押圧可能な押圧部材を備えることを特徴とする請求項１から請求項３のいずれか一つに記載の清掃用具。
【請求項５】
前記基台は、当該基台から上方に延び作業者が把持する柄を備えることを特徴とする請求項１から請求項４のいずれか一つに記載の清掃用具。
【請求項６】
前記基台は、フォークリフトのフォーク部を挿入する一対の挿入穴を備えることを特徴とする請求項１、請求項２及び請求項４のいずれか一つに記載の清掃用具。
【請求項７】
前記基台は、当該基台を車両に装着する装着部材を備えることを特徴とする請求項１、請求項２及び請求項４のいずれか一つに記載の清掃用具。
【発明の詳細な説明】
【技術分野】
【０００１】
本発明は、ブラシ部材を備え、清掃物の除去と収集とを効率良く行うことができる清掃用具に関するものである。
【背景技術】
【０００２】
従来より、清掃用具の１つとして、図１３に示すようなデッキブラシが知られている。このデッキブラシ１００は、複数のブラシ毛を有するブラシ部材１０１と、ブラシ部材１０１が設けられる基台１０２と、基台１０２から上方に延び作業者が把持する柄１０３とを備える。この基台１０２は、ほぼ直方体状に構成されている。ここで、図１３は、従来のデッキブラシを示す斜視図である。
また、他の従来の清掃用具として、洗浄水噴射ノズルを柄に備えたデッキブラシも提供されている（例えば、特許文献１参照）。
このように構成された従来の清掃用具は、ブラシ部分で清掃面を強く擦ることによって清掃面に付着した泥などの汚れを除去する清掃用具であり、洗浄水を併用しながら使用されることが多い。
【先行技術文献】
【特許文献】
【０００３】
【特許文献１】特開平６−６２９２２号公報
【発明の概要】
【発明が解決しようとする課題】
【０００４】
しかし、上記従来の清掃用具は、ブラシ部材１０１が設けられる基台１０２がほぼ直方体状に構成され、その大きさも作業性の観点から小さめ（例えば、長辺が２０〜３０ｃｍ程度の長さ）に構成されていた。
そのため、ブラシ部分で清掃面を強く擦ることで清掃面に付着した泥などの汚れを除去する用途には適するものの、箒やスコップの代わりに、散乱した土砂などの清掃物を収集する場合には、清掃物が上記基台の周りに拡散してしまい、作業効率が悪いという課題があった。特に、洪水や土砂災害などに見舞われた場所において、限られた人員・時間で清掃作業を行う場合には、清掃面から清掃物を除去すると共に、除去した清掃物を効率良く収集することが要請される。そのため、清掃物の除去と収集とを効率良く行うことができる清掃用具の提供が望まれていた。
【０００５】
本発明は、上述の課題を解決するためになされたものであり、清掃物の除去と収集とを効率良く行うことができる清掃用具を提供することを目的とする。
【課題を解決するための手段】
【０００６】
本発明の清掃用具は、複数のブラシ毛を有するブラシ部材と、前記ブラシ部材が設けられる基台と、を備える清掃用具であって、前記基台は、前記清掃用具を使用する作業者から見て当該基台の左右両端部からそれぞれ前方に延び且つ前記ブラシ部材のブラシ毛が下方に延びるように設けられる基台延長部を備え、前記基台における前記ブラシ部材の一部又は全部は、当該基台に対して着脱自在に設けられ、当該基台から当該ブラシ部材が取り外された際に、当該基台の下方を前後方向に連通する凹部が形成されるようにしたことを特徴とする。
【０００７】
また、本発明の清掃用具は、前記発明において、前記基台に着脱自在に設けられ、袋体の開口部が前記凹部と連通するように当該袋体を保持する袋体保持部材を備えることを特徴とする。
【０００８】
また、本発明の清掃用具は、前記発明において、前記基台は、清掃面に当接する車輪を備えることを特徴とする。
【０００９】
また、本発明の清掃用具は、前記発明において、前記複数のブラシ毛の前面側と後面側の少なくとも一方の面を他方の面側に押圧可能な押圧部材を備えることを特徴とする。
【００１０】
また、本発明の清掃用具は、前記発明において、前記基台は、当該基台から上方に延び作業者が把持する柄を備えることを特徴とする。
【００１１】
また、本発明の清掃用具は、前記発明において、前記基台は、フォークリフトのフォーク部を挿入する一対の挿入穴を備えることを特徴とする。
【００１２】
また、本発明の清掃用具は、前記発明において、前記基台は、当該基台を車両に装着する装着部材を備えることを特徴とする。
【発明の効果】
【００１３】
本発明によれば、清掃物の除去と収集とを効率良く行うことができる清掃用具を提供することができる。
【図面の簡単な説明】
【００１４】
【図１】本発明の実施の形態１に係る清掃用具１を示す斜視図である。
【図２】基台３の係合溝部３ａを示す断面図である。
【図３】着脱ブラシ部材６を示す説明図である。
【図４】袋体保持部材８を示す斜視図である。
【図５】袋体保持部材８の内側枠体８ａに袋体１０を装着した状態を示す斜視図である。
【図６】袋体１０が袋体保持部材８を介して基台３に取り付けられた状態を示す説明図である。
【図７】ブラシ部材２の変形例を示す斜視図である。
【図８】ブラシ部材２の変形例を示す斜視図である。
【図９】本発明の実施の形態２に係る清掃用具１Ａを示す説明図である。
【図１０】本発明の実施の形態３に係る清掃用具１Ｂを示す斜視図である。
【図１１】フォークリフト１３を示す側面図である。
【図１２】本発明の実施の形態４に係る清掃用具１Ｃを示す側面図である。
【図１３】従来のデッキブラシ１００を示す斜視図である。
【発明を実施するための形態】
【００１５】
（実施の形態１）
以下、本発明の実施の形態１に係る清掃用具について図１〜図８を参照しながら詳細に説明する。ここで、図１は、本発明の実施の形態１に係る清掃用具１を示す斜視図であり、（ａ）は、着脱ブラシ部材６が基台３に取り付けられた状態を示し、（ｂ）は、着脱ブラシ部材６が基台３から取り外され、袋体１０が袋体保持部材８を介して基台３に取り付けられた状態を示している。図２は、基台３の係合溝部３ａを示す断面図である。
【００１６】
図３は、着脱ブラシ部材６を示す説明図であり、（ａ）は平面図、（ｂ）は正面図、（ｃ）は側面図である。図４は、袋体保持部材８を示す斜視図である。図５は、袋体保持部材８の内側枠体８ａに袋体１０を装着した状態を示す斜視図である。図６は、袋体１０が袋体保持部材８を介して基台３に取り付けられた状態を示す説明図であり、（ａ）は正面図、（ｂ）は断面図である。図７及び図８は、ブラシ部材２の変形例を示す斜視図である。
【００１７】
図１に示すように、清掃用具１は、デッキブラシとして構成され、複数のブラシ毛２ａを有するブラシ部材２と、ブラシ部材２が設けられる基台３と、清掃用具１を使用する作業者から見て基台３の左右両端部からそれぞれ前方に延び且つブラシ部材２のブラシ毛２ａが下方に延びるように設けられる基台延長部５と、基台３から上方に延び作業者（図示せず）が把持する柄４と、基台３に対して着脱自在に設けられる着脱ブラシ部材６と、着脱ブラシ部材６を基台３から取り外した際に形成される凹部７と袋体１０の開口部１０ａとが連通するように袋体１０を保持する袋体保持部材８と、を備える。
【００１８】
ブラシ部材２は、複数のブラシ毛２ａの集合体として構成されている。基台３及び基台延長部５は、図１及び図２に示すように、断面がほぼ矩形の部材である。基台３及び基台延長部５は、加工性や軽量化の観点から、木製の場合（図２参照）は中実状に形成され、樹脂製や金属製の場合は中空状に形成されることが好ましい。
【００１９】
ブラシ毛２ａの材質は、清掃対象に応じて樹脂（例えば、塩化ビニル樹脂など）や金属（例えば、鋼、真鍮など）、又はこれらを混合したもの（混毛）などが選択される。ブラシ毛２ａは、基台３及び基台延長部５が木製の場合には、これら基台３等の底面に設けられた複数の穴（図示せず）に、二つ折り（逆Ｕ字状）にしたブラシ毛２ａの折り返し部分をＵ字形のピン部材（図示せず）等で当該穴の底に留めるなど、周知・慣用技術によって植え込まれる。
また、基台３及び基台延長部５が金属製の場合には、金属製のブラシ毛２を使用し、溶接によってこれらに設けることができる。
【００２０】
また、ブラシ部材２は、図７及び図８に示すように、いわゆるチャンネルブラシとして構成することもできる。すなわち、図７に示すように、ブラシ部材２は、複数のブラシ毛２ａと、二つ折り（逆Ｕ字状）にしたブラシ毛２ａの折り返し部分を束ねる芯材２ｂと、芯材２ｂによって束ねられたブラシ毛２ａを挟んで固定（かしめて固定）するチャンネル部材２ｃと、から構成することができる。
【００２１】
また、図８に示すように、図７に示したブラシ部材２におけるブラシ毛２ａとチャンネル部材２ｃとの間に、薄板状の押圧部材２ｄを介在させて構成することもできる。この押圧部材２ｄは、ブラシ毛２ａの前面側及び後面側の面を他方の面側に押圧することにより、ブラシ毛２ａを中心側に向け、清掃作業時にブラシ毛２ａが任意の方向に拡散してしまうことを抑制する部材である。押圧部材２ｄは、例えば、ゴムや金属にて形成される。
【００２２】
なお、押圧部材２ｄは、ブラシ毛２ａの前面側又は後面側のいずれか一方の面側に設けられてもよい。また、押圧部材２ｄは、チャンネル部材２ｃによって挟み込まずに、基台３及び基台延長部５に直接設けてもよい。
これらのブラシ部材２において、ブラシ毛２ａを樹脂製とする場合には、溶着や接着により設けることができ、ブラシ毛２ａを金属製とする場合には、溶接により設けることができる。
【００２３】
基台３は、図２に示すように、着脱ブラシ部材６（後述）及び袋体保持部材８を係合させるための係合溝部３ａと、一対の貫通穴３ｃ（図６（ａ）参照）とが設けられている。この係合溝部３ａは、図１及び図６に示すように、着脱ブラシ部材６及び袋体保持部材８の長手方向の長さに対応して形成されている。また、係合溝部３ａは、係合後における着脱ブラシ部材６及び袋体保持部材８の後方（図２において右側）への移動を規制する段部３ｂを有する。
貫通穴３ｃ（図２及び図６参照）は、着脱ブラシ部材６のねじ軸部６ｃ（図３参照）及び袋体保持部材８のねじ軸部８ｃ（図５及び図６参照参照）を挿通可能に形成されている。
【００２４】
また、図１に示すように、基台延長部５は、基台３の左右両端部からそれぞれ斜め前方に広がるように延び、且つ、ブラシ部材２のブラシ毛２ａが下方に延びるように、基台３と一体的に設けられている。
【００２５】
柄４は、図１に示すように、作業者（図示せず）が把持する部分であり、基台３のほぼ中央から斜め後方且つ上方に延びている。なお、柄４の材質は、木製、樹脂製及び金属製のいずれであってもよい。また、柄４を基台３に対して着脱自在（ねじによる係合など）に設けたり、伸縮自在（入れ子式など）に設けてもよい。
【００２６】
着脱ブラシ部材６は、図１、図２及び図３に示すように、基台３の係合溝部３ａと係合可能に構成され、基台３におけるブラシ部材の一部として構成されている。
着脱ブラシ部材６は、ブラシ部材２のブラシ毛２ａが下方に延びるように設けられる着脱基台部６ａ（図３参照）と、着脱基台部６ａから上方に延びる一対のねじ軸部６ｃと、ねじ軸部６ｃに取り付けられるナット６ｄと、を備える。
【００２７】
着脱基台部６ａは、基台３の段部３ｂ（図２参照）と係合する段部６ｂを有する。基台３の貫通穴３ｃ（図１、図２及び図６参照）にねじ軸部６ｃが挿通された後、ナット６ｄを締め付けることによって、着脱ブラシ部材６を基台３に容易に装着することができる。なお、ナット６ｄには、締結用の工具が不要な蝶ナットを用いることが好ましい。
【００２８】
袋体１０は、開口部１０ａを閉じるための紐などを備えていなくてもよいが、回収した土砂と共に土嚢として用いる場合には、図５に示すような紐１０ｂを備えていると便利である。
なお、水分を多量に含むヘドロ状の土砂などを回収する場合には、網状の袋体１０を用いることにより、水分を分離しながら回収することができ、回収物の重量増加を回避して作業効率を向上することができる。
【００２９】
袋体保持部材８は、図４〜図６に示すように、内側枠体８ａと、内側枠体８ａの開口外周縁部に嵌め込むための外側枠体８ｂとを備える。袋体保持部材８は、強度及び耐久性の確保と軽量化の観点から、金属や硬質の樹脂などにより形成されることが好ましい。
袋体保持部材８は、開口部１０ａを閉じるための紐を有さない袋体１０をも保持できるように構成されている。なお、図５においては、紐１０を有する袋体１０を内側枠体８ａに装着する例を示しており、紐１０ｂを内側枠体８ａに巻き付けて結ぶことにより装着している。
【００３０】
内側枠体８ａは、図６及び図５に示すように、その内部に袋体１０を挿通し、袋体１０の開口縁部を折り返した状態で袋体１０を保持する枠部材である。内側枠体８ａの奥行き長さは、基台３の奥行き長さとほぼ同一となっている（図６（ｂ）参照）。
また、内側枠体８ａは、上方に延びる一対のねじ軸部８ｃを有する。このねじ軸部８ｃは、着脱基台部６ａのねじ軸部６ｃ（図３参照）と同様の機能を有する。すなわち、内側枠体８ａは、基台３の貫通穴３ｃ（図１、図２及び図６参照）にねじ軸部８ｃが挿通された後、ナット６ｄを締め付けることによって、基台３に容易に装着できる構成となっている。
【００３１】
外側枠体８ｂは、図６に示すように、袋体１０が装着された内側枠体８ａの外周囲に被せることにより、袋体１０を内側枠体８ａに保持（固定）する部材である。そのため、外側枠体８ｂの内寸法は、内側枠体８ａの外寸法よりも若干大きく形成されている。また、外側枠体８ｂの外寸法は、基台３の係合溝部３ａに収まるように設定されている。
【００３２】
このように、袋体保持部材８は、紐１０ｂを有さない袋体１０を保持できるように構成されている。すなわち、図６に示すように、袋体１０の開口縁部を折り返して内側枠体８ａの外周面に被せ、且つ、外側枠体８ｂをその袋体１０の上から内側枠体８ａに被せることにより、袋体１０を挟み込んで容易に保持することができる。
また、図６に示すように、袋体１０の開口縁部は、外側枠体８ｂによって覆われているので、清掃作業中に路面などの清掃面と当接しにくくなっている。そのため、清掃面との摩擦によって袋体１０の開口縁部が損傷するのを抑制することができる。
【００３３】
次に、清掃用具１の使用方法について図１を参照しながら説明する。清掃面に散乱・堆積した土砂などを除去（ブラシがけ）する場合には、図１（ａ）に示すように、着脱ブラシ部材６を基台３に装着した状態で清掃用具１を使用する。このとき、清掃用具１には、基台３の他に基台延長部５が設けられているので、比較的広い清掃面を同時に清掃でき、且つ、除去した清掃物を効率良く基台３（着脱ブラシ部材６）側に収集することができる。
【００３４】
また、押圧部材２ｄ（図８参照）を有するブラシ部材２を備えた清掃用具１を使用する場合には、清掃作業時にかかる押圧力に負けてブラシ毛２ａが任意の方向に拡散してしまうことを、押圧部材２ｄによって抑制することができる。そのため、ブラシ毛２ａを清掃面に効率良く押し付けることができ、作業者の労力が軽減される。
【００３５】
また、除去した土砂などを収集する場合には、図１（ｂ）に示すように、着脱ブラシ部材６を基台３から取り外し、袋体１０を保持した袋体保持部材８を基台３に装着して使用する。すなわち、先ず、ナット６ｄをねじ軸部６ｃから取り外し、着脱ブラシ部材６を基台３から取り外す。すると、基台３の下方を前後方向に連通する凹部７（図１（ｂ）及び図６参照）が形成されるので、袋体１０を保持した袋体保持部材８を、凹部７と袋体１０の開口部１０ａとが連通するように、基台３に装着する。
そして、図１（ｂ）及び図６に示すように、基台３の貫通穴３ｃに、袋体保持部材８のねじ軸部８ｃを挿通し、このねじ軸部８ｃにナット６ｄを係合させて締め付けることによって、袋体保持部材８（袋体１０）が基台３に容易に固定される。
【００３６】
このように着脱ブラシ部材６の代わりに袋体１０を装着した清掃用具１を使用することで、基台３及び基台延長部５のブラシ部材２によって清掃物が除去され、また、除去した清掃物は、開口部１０ａから効率良く袋体１０に収集される。土砂などを収集した袋体１０は、そのまま土嚢として利用してもよい。
なお、基台３から取り外した着脱ブラシ部材６は、ハンドブラシとして単独で使用してもよい。
【００３７】
以上に説明した実施の形態１に係る清掃用具によれば、以下に示す各効果が奏される。実施の形態１に係る清掃用具１は、複数のブラシ毛２ａを有するブラシ部材２と、ブラシ部材２が設けられる基台３と、基台３の左右両端部からそれぞれ前方に延び且つブラシ部材２のブラシ毛２ａが下方に延びるように設けられる基台延長部５と、基台３から上方に延び作業者が把持する柄４と、基台３に対して着脱自在に設けられる着脱ブラシ部材６と、基台３に対して着脱自在に設けられ、着脱ブラシ部材６を基台３から取り外した際に形成される凹部７と袋体１０の開口部１０ａとが連通するように袋体１０を保持する袋体保持部材８と、を備える。
【００３８】
そのため、着脱ブラシ部材６を基台３に装着した状態では、通常のデッキブラシとして清掃物の除去作業ができると共に、特に基台延長部５を備えたことにより、比較的広い清掃面を同時に清掃でき、且つ、除去した清掃物を効率良く基台３側に収集することができる。また、基台３から取り外した着脱ブラシ部材６は、ハンドブラシとして単独でも使用することができる。
【００３９】
また、着脱ブラシ部材６を基台３から取り外し、袋体１０を保持した袋体保持部材８を基台３に装着して使用することにより、除去した清掃物を効率良く袋体１０に収集することができる。また、土砂などを収集した袋体１０は、そのまま土嚢として利用することもでき、きわめて作業効率が高い。
【００４０】
また、押圧部材２ｄ（図８参照）を有するブラシ部材２を備えた清掃用具１を使用する場合には、清掃作業時にかかる押圧力に負けてブラシ毛２ａが任意の方向に拡散してしまうことを押圧部材２ｄによって抑制（ブラシ毛２ａの剛性を担保）することができる。そのため、ブラシ毛２ａを清掃面に効率良く押し付けることができ、作業者の労力を軽減することができる。
【００４１】
したがって、特に、洪水や土砂災害などに見舞われた場所において、限られた人員・時間で清掃作業を行う必要がある場合に、清掃物の除去と収集とを効率良く行うことができ、絶大な効果を発揮することが期待できる。
【００４２】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００４３】
（実施の形態２）
本発明の実施の形態２に係る清掃用具１Ａについて図９を参照しながら説明する。図９は、本発明の実施の形態２に係る清掃用具１Ａを示す説明図であり、（ａ）は、着脱ブラシ部材６（図１参照）が基台３から取り外され、袋体１０が袋体保持部材８を介して基台３に取り付けられた状態を示す斜視図であり、（ｂ）は、清掃用具１Ａを示す側面図である。
【００４４】
図９に示すように、清掃用具１Ａは、前記実施の形態１に係る清掃用具１の構成に加え、後方に幅広となるように形成された基台３と、この基台３の底部の左右両端部に設けられ、清掃面に当接する車輪１１と、を更に備える。
一対の基台延長部５は、前記実施の形態１に係る清掃用具１の場合よりも、左右前方への広がり角度が若干小さめに形成されている。車輪１１は、清掃時にブラシ毛２ａと共に清掃面と当接するように設けられている。すなわち、車輪１１は、清掃時に作業者が清掃用具１Ａを前方に押し出す際の労力を軽減できるように設けられたものである。
【００４５】
清掃用具１Ａのその他の構成及び使用方法は、前記実施の形態１の清掃用具１の場合と同様であるので、重複説明を省略する。
【００４６】
以上のように、実施の形態２に係る清掃用具１Ａによれば、前記実施の形態１の清掃用具１と同様の効果が奏されると共に、以下に示す効果が奏される。
すなわち、実施の形態２に係る清掃用具１Ａは、前記実施の形態１に係る清掃用具１の構成に加え、後方に幅広となるように形成された基台３と、この基台３の底部の左右両端部に設けられ、清掃面に当接する車輪１１と、を更に備える。そのため、清掃時に作業者が清掃用具１Ａを前方に押し出す際の労力を軽減することができる。特に、袋体１０に収集された清掃物の重量が増えた場合に効果が大きい。
【００４７】
（実施の形態３）
次に、本発明の実施の形態３に係る清掃用具１Ｂについて図１０及び図１１を参照しながら説明する。図１０は、本発明の実施の形態３に係る清掃用具１Ｂを示す斜視図であり、（ａ）は、着脱ブラシ部材６（図示せず）が基台３に取り付けられた状態を示し、（ｂ）は、着脱ブラシ部材６が基台３から取り外され、袋体１０が袋体保持部材８（図示せず）を介して基台３に取り付けられた状態を示している。図１１は、フォークリフト１３を示す側面図である。
【００４８】
前記実施の形態１においては、図１に示すように、清掃用具１は、作業者が把持する柄４を備え、作業者が清掃用具１を人力で押しながら清掃作業を行うものである。これに対して、本実施の形態３においては、図１１に示すフォークリフト１３によって清掃用具１Ｂを押しながら清掃作業を行えるようにした点が異なる。
【００４９】
図１０及び図１１に示すように、清掃用具１Ｂは、清掃用具１（図１参照）よりも全体的に大きく構成され、且つ、高い強度となるように主として金属で構成されている。基台３は、フォークリフト１３のフォーク部１３ａを挿入する一対の挿入穴１４を備える。
また、ブラシ部材２は、金属製のブラシ毛２ａと、ゴム又は金属製の押圧部材２ｄ（図８参照）とを備えることが好ましい。また、ブラシ部材２は、溶接により基台３に固定されることが好ましい。袋体保持部材８（図示せず）のねじ軸部８ｃは、清掃用具１（図１参照）の場合よりも太く形成され、ナット６ｄには六角ナットを用いている。
【００５０】
このような清掃用具１Ｂのその他の構成は、前記実施の形態１の清掃用具１の場合と同様であり、また使用方法は、人力の代わりにフォークリフト１３を用いる点以外は同様であるので、重複説明を省略する。
【００５１】
以上のように、実施の形態３に係る清掃用具１Ｂによれば、前記実施の形態１に係る清掃用具１と同様の効果が奏されると共に、以下に示す効果が奏される。
すなわち、実施の形態３に係る清掃用具１Ｂの基台３は、フォークリフト１３のフォーク部１３ａを挿入する一対の挿入穴１４を備える。そのため、大型で重量のある清掃用具１Ｂをフォークリフト１３によって押すことができ、大量の清掃物の除去と収集とを更に効率良く行うことができる。
また、ブラシ部材２は、押圧部材２ｄ（図８参照）を有しているので、ブラシ毛２ａを清掃面に効率良く押し付けることができる。
【００５２】
（実施の形態４）
次に、本発明の実施の形態４に係る清掃用具１Ｃについて図１２を参照しながら説明する。図１２は、本発明の実施の形態４に係る清掃用具１Ｃを示す側面図である。
前記実施の形態３に係る清掃用具１Ｂは、図１０及び図１１に示したように、フォークリフト１３で使用できるように構成した。これに対して、本実施の形態４に係る清掃用具１Ｃは、図１２に示すように、普通自動車やトラックなどの車両１５で使用できるように構成したものである。すなわち、清掃用具１Ｃは、前記実施の形態３に係る清掃用具１Ｂ（図１０参照）とほぼ同様に構成され、異なる点は、フォークリフト１３のフォーク部１３ａを挿入する一対の挿入穴１４を備える代わりに、基台３を車両１５の前部に着脱自在に装着する装着部材２０を備えることである。
【００５３】
装着部材２０は、車両１５のフロントバンパー１６に当接するベース部２１と、このベース部２１を車両１５のフロントホイールアーチ部１７に引っ掛けて取り付ける取付ベルト２２と、ベース部２１から前方に延びベース部２１と基台３とを連結するアーム部２３と、を備える。
ベース部２１は、クッション材２１ａを介してフロントバンパー１６に沿って係合するように構成されている。取付ベルト２２は、長さ調節可能に構成され、例えば、タイダウンベルトからなる。取付ベルト２２の先端はベース部２１に固定され、後端にはフロントホイールアーチ部１７に引っ掛けるフック２２ａを有する。このフック２２ａにもクッション材（図示せず）が設けられている。
アーム部２３の先端は基台３に固定され、後端は軸支部２４を介してベース部２１に連結されて上下方向に回動自在となっている。
なお、ブラシ部材２は、押圧部材２ｄ（図８参照）を備えてもよい。これにより、ブラシ毛２ａを清掃面に効率良く押し付けることができる。
【００５４】
このような清掃用具１Ｃのその他の構成は、前記実施の形態３の清掃用具１Ｂの場合とほぼ同様であり、また使用方法は、フォークリフト１３の代わりに普通自動車やトラックなどの車両１５を用いる点以外は同様であるので、重複説明を省略する。
【００５５】
以上のように、実施の形態４に係る清掃用具１Ｃによれば、前記実施の形態３に係る清掃用具１Ｂと同様の効果が奏されると共に、以下に示す効果が奏される。
すなわち、実施の形態４に係る清掃用具１Ｃは、基台３を車両１５の前部に装着する装着部材２０を備える。
そのため、普及台数の多い普通自動車やトラックなどの車両１５を用いて、大量の清掃物の除去と収集とを短時間に効率良く行うことができる。
また、清掃作業後には、車両１５から装着部材２０を取り外して、清掃用具１Ｃを容易に取り外すことができる。
【００５６】
以上、本発明の一実施形態について説明したが、本発明は、前述した実施の形態に制限されるものではなく、適宜変更が可能である。例えば、前記実施の形態１〜４に係る清掃用具１，１Ａ，１Ｂ，１Ｃにおいては、着脱ブラシ部材６は、基台３におけるブラシ部材の一部として構成されるものとして説明したが、これに限定されず、基台３におけるブラシ部材の全部として構成されてもよい。
【００５７】
また、前記実施の形態１〜４に係る清掃用具１，１Ａ，１Ｂ，１Ｃにおいては、基台延長部５は、基台３の左右両端部からそれぞれ斜め前方に広がるように延びるものとして説明したが、図示例の形状に限定されず、基台３とのなす角をほぼ直角とし、前方にまっすぐ延びるように構成してもよく、また、図示例のものよりも更に広角に延びるように構成してもよい。
【００５８】
また、前記実施の形態４においては、本発明に係る清掃用具を普通自動車やトラックなどの車両１５の前部に対して適用する例を説明したが、自動二輪車や荷車などに対しても適用可能である。この場合も、前記実施の形態４の場合と同様の効果を期待できる。
【００５９】
また、前記実施の形態４においては、清掃用具１Ｃを普通自動車やトラックなどの車両１５の前部に装着して押しながら使用する例を説明したが、車両１５の後部に装着して引きながら使用してもよい。この場合も、前記実施の形態４の場合と同様の効果を期待できる。
【００６０】
また、前記実施の形態３及び４に係る清掃用具１Ｂ，１Ｃにおいては、土砂などの清掃物を除去・収集する例について説明したが、これに限定されず、例えば、除雪車などによる除雪後の路面に使用することにより、除雪車では除去しきれなかった雪を更に除去することができ、路面のアイスバーン化を効果的に抑制することができる。
【００６１】
また、海難事故などで船舶から流出した油等が海面に浮遊し拡散している場合において、本発明に係る清掃用具を他の船舶の船首などに装着することで、効果的に油などを除去・収集することができる。
【符号の説明】
【００６２】
１，１Ａ，１Ｂ，１Ｃ  清掃用具
２  ブラシ部材
２ａ  ブラシ毛
２ｄ  押圧部材
３  基台
４  柄
５  基台延長部
６  着脱ブラシ部材
７  凹部
８  袋体保持部材
１０  袋体
１０ａ  開口部
１１  車輪
１３  フォークリフト
１３ａ  フォーク部
１４  挿入穴
１５  車両
２０  装着部材
【図１】
0006533636.tif 000002
【図２】
0006533636.tif 000003
【図３】
0006533636.tif 000004
【図４】
0006533636.tif 000005
【図５】
0006533636.tif 000006
【図６】
0006533636.tif 000007
【図７】
0006533636.tif 000008
【図８】
0006533636.tif 000009
【図９】
0006533636.tif 000010
【図１０】
0006533636.tif 000011
【図１１】
0006533636.tif 000012
【図１２】
0006533636.tif 000013
【図１３】
0006533636.tif 000014